(57)【要約】【課題】トレーの飛び出しを防止しつつ、その出し入れを容易に行えるペット用サークルを提供すること。【解決手段】ペット収容空間を形成する囲い柵１と、ペット収容空間に出し入れ自在なトレー２とを具備したペット用サークルであって、トレーは、底面及びその周縁から立ち上がる側面を持った本体部３と、本体部の上部周縁に形成されたフランジ部４とを有し、囲い柵の下部には複数の支持脚８が設けられ、少なくとも隣り合う二つの支持脚８Ａは、本体部が通過可能でフランジ部を含めたトレー全体は通過不能な間隔をあけて配され、かつ、該二つの支持脚において相互に向かい合う位置にフランジ部が通過可能な溝９がそれぞれ設けられることにより、該二つの支持脚の間にトレーを出し入れするための開口１０が形成され、溝９を有する支持脚における該溝の高さを、トレーにおけるフランジ部の高さよりも大としてある。【選択図】図１
0003214713.tif 000002
【実用新案登録請求の範囲】
【請求項１】
ペット収容空間を形成する囲い柵と、前記ペット収容空間に出し入れ自在なトレーとを具備したペット用サークルであって、
前記トレーは、底面及びその周縁から立ち上がる側面を持った本体部と、該本体部の上部周縁に形成されたフランジ部とを有し、
前記囲い柵の下部には複数の支持脚が設けられ、少なくとも隣り合う二つの支持脚は、前記本体部が通過可能で前記フランジ部を含めた前記トレー全体は通過不能な間隔をあけて配され、かつ、該二つの支持脚において相互に向かい合う位置に前記フランジ部が通過可能な溝がそれぞれ設けられることにより、該二つの支持脚の間に前記トレーを出し入れするための開口が形成され、
前記溝を有する前記支持脚における該溝の高さを、前記トレーにおける前記フランジ部の高さよりも大としてあることを特徴とするペット用サークル。
【請求項２】
前記囲い柵は、前後左右に配される四つの柵体を有し、
前記支持脚は、隣り合う二つの前記柵体の下端を支持するように構成されている請求項１に記載のペット用サークル。
【請求項３】
前記柵体として、前記開口の直上に位置しないノーマル柵体と、前記開口の直上に位置するハイリフト柵体とが設けられ、
前記ノーマル柵体は、前記支持脚によって前記ハイリフト柵体よりも低位置に支持され、該ノーマル柵体の下方に前記トレーの通過を許容する隙間が形成されないように構成されている請求項２に記載のペット用サークル。
【請求項４】
前記囲い柵は、上蓋と、隣り合う二つの前記柵体の上端部どうしを連結する上端部連結部材とを有し、
少なくとも隣り合う二つの前記上端部連結部材には対となるヒンジ部が形成され、
前記上蓋は開閉可能となるようにその一端の左右が前記ヒンジ部によって回動可能に支持されている請求項２または３に記載のペット用サークル。
【考案の詳細な説明】
【技術分野】
【０００１】
本考案は、例えば、犬や猫などのペットを室内で飼う場合に利用されるペット用サークルに関する。
【背景技術】
【０００２】
従来、ペット収容空間を形成する囲い柵と、前記ペット収容空間に出し入れ自在なトレーとを具備したペット用サークルが知られている。囲い柵内の床面にトレーをきっちりと載置してあれば、床面が汚れるのを防止することができる。また、トレーが汚れれば、このトレーだけを取り出すことにより、その洗浄を手軽に行うことができる。
【考案の概要】
【考案が解決しようとする課題】
【０００３】
しかし、従来のペット用サークルでは、ペットの動き等によりトレーが囲い柵から飛び出す恐れがある。また、この飛び出しを防止する構造のものでは、トレーの出し入れに手間が掛かる傾向にある。
【０００４】
本考案は上述の事柄に留意してなされたもので、その目的は、トレーの飛び出しを防止しつつ、その出し入れを容易に行えるペット用サークルを提供することにある。
【課題を解決するための手段】
【０００５】
上記目的を達成するために、本考案に係るペット用サークルは、ペット収容空間を形成する囲い柵と、前記ペット収容空間に出し入れ自在なトレーとを具備したペット用サークルであって、前記トレーは、底面及びその周縁から立ち上がる側面を持った本体部と、該本体部の上部周縁に形成されたフランジ部とを有し、前記囲い柵の下部には複数の支持脚が設けられ、少なくとも隣り合う二つの支持脚は、前記本体部が通過可能で前記フランジ部を含めた前記トレー全体は通過不能な間隔をあけて配され、かつ、該二つの支持脚において相互に向かい合う位置に前記フランジ部が通過可能な溝がそれぞれ設けられることにより、該二つの支持脚の間に前記トレーを出し入れするための開口が形成され、前記溝を有する前記支持脚における該溝の高さを、前記トレーにおける前記フランジ部の高さよりも大としてある（請求項１）。
【０００６】
上記ペット用サークルにおいて、前記囲い柵は、前後左右に配される四つの柵体を有し、前記支持脚は、隣り合う二つの前記柵体の下端を支持するように構成されていてもよい（請求項２）。
【０００７】
上記ペット用サークルにおいて、前記柵体として、前記開口の直上に位置しないノーマル柵体と、前記開口の直上に位置するハイリフト柵体とが設けられ、前記ノーマル柵体は、前記支持脚によって前記ハイリフト柵体よりも低位置に支持され、該ノーマル柵体の下方に前記トレーの通過を許容する隙間が形成されないように構成されていてもよい（請求項３）。
【０００８】
上記ペット用サークルにおいて、前記囲い柵は、上蓋と、隣り合う二つの前記柵体の上端部どうしを連結する上端部連結部材とを有し、少なくとも隣り合う二つの前記上端部連結部材には対となるヒンジ部が形成され、前記上蓋は開閉可能となるようにその一端の左右が前記ヒンジ部によって回動可能に支持されていてもよい（請求項４）。
【考案の効果】
【０００９】
本願考案では、トレーの飛び出しを防止しつつ、その出し入れを容易に行えるペット用サークルが得られる。
【００１０】
すなわち、本願の各請求項に係る考案のペット用サークルでは、溝を有する支持脚における溝の高さを、トレーにおけるフランジ部の高さよりも大としてあり、これにより、囲み柵内に収容したトレーが開口から不意に飛び出すことは防止される。また、トレーを少し持ち上げれば、開口を通してトレーを囲み柵から出し入れすることができる。従って、本考案のペット用サークルでは、トレーの飛び出しを防止しつつ、その出し入れを容易に行える。
【図面の簡単な説明】
【００１１】
【図１】本考案の一実施の形態に係るペット用サークルの構成を概略的に示す説明図である。
【図２】前記ペット用サークルの構成を概略的に示す分解斜視図である。
【図３】（Ａ）及び（Ｂ）は、前記ペット用サークルの前柵体及び後柵体の構成を概略的に示す正面図である。
【図４】（Ａ）及び（Ｂ）は、前記ペット用サークルの横柵体及び上蓋の構成を概略的に示す正面図である。
【図５】（Ａ）〜（Ｃ）は、前記ペット用サークルのハイブリッド支持脚の構成を概略的に示す斜視図、背面図及び側面図である。
【図６】（Ａ）〜（Ｃ）は、前記ペット用サークルのロー支持脚の構成を概略的に示す斜視図、背面図及び側面図である。
【図７】（Ａ）及び（Ｂ）は、前記ペット用サークルの上端部連結部材及びこれにヒンジ部を設けたものの構成を概略的に示す斜視図である。
【図８】（Ａ）及び（Ｂ）は、前記ペット用サークルの要部の構成を概略的に示す説明図である。
【図９】前記ペット用サークルの変形例の構成を概略的に示す分解斜視図である。
【図１０】前記ペット用サークルのハイ支持脚の構成を概略的に示す斜視図である。
【考案を実施するための形態】
【００１２】
本考案の実施の形態について図面を参照しながら以下に説明する。
【００１３】
図１に示すペット用サークルは、ペット収容空間を形成する囲い柵１と、ペット収容空間に出し入れ自在なトレー２とを具備している。
【００１４】
トレー２は、図２、図８（Ａ）及び（Ｂ）に示すように、底面及びその周縁から立ち上がる側面を持った本体部３と、本体部３の上部周縁に形成されたフランジ部４とを有する。
【００１５】
囲い柵１は、図２に分解して示すように、前後左右に配される四つの柵体５を有し、具体的には、前柵体５Ａ（図３（Ａ）参照）、左右２枚の横柵体５Ｂ（図４（Ａ）参照）、及び後柵体５Ｃ（図３（Ｂ）参照）を有する。隣り合う柵体５は、上端部連結部材６によって上端部どうしが、中間部連結部材７によって中間部どうしがそれぞれ連結される。すなわち、組立状態の囲い柵１は、略角筒状を呈する。なお、上端部連結部材６及び中間部連結部材７は、隣接する柵体５のそれぞれの端部を保持することにより、柵体５どうしを連結するように構成されたものである。
【００１６】
また、各柵体５は、図３（Ａ）及び（Ｂ）、図４（Ａ）に示すように、それぞれ複数本の線材を格子状（縦横に交差する形状）に組み合わせたものであり、このうち、前柵体５Ａには、開閉可能な扉Ｄが設けられている。
【００１７】
そして、図２に示すように、囲い柵１の下部には複数の支持脚８が設けられ、各支持脚８は、隣り合う二つの柵体５の下端（囲い柵１の下端の何れかのコーナー）を支持するように構成されている。なお、本例の囲い柵１は略角筒状であり下端に四つのコーナーを有していることから、本例の支持脚８はこのコーナーの数に対応して四つ設けられている。
【００１８】
ここで、図２に示すように、本例の四つの支持脚８は、前柵体５Ａの左右端（及び各横柵体５Ｂの各前端）を支持するハイブリッド支持脚８Ａと、後柵体５Ｃの左右端（及び各横柵体５Ｂの各後端）を支持するロー支持脚８Ｂとに分類される。
【００１９】
隣り合う二つのハイブリッド支持脚８Ａは、図８（Ａ）及び（Ｂ）に示すように、トレー２の本体部３が通過可能でフランジ部４を含めたトレー２全体は通過不能な間隔をあけて配され、かつ、二つのハイブリッド支持脚８Ａにおいて相互に向かい合う位置にはフランジ部４が通過可能な溝９がそれぞれ設けられることにより、二つのハイブリッド支持脚８Ａの間にトレー２を出し入れするための開口１０が形成される。
【００２０】
ところで、本例における柵体５は、開口１０の直上に位置するハイリフト柵体と、開口１０の直上に位置しないノーマル柵体とに分類することができ、前柵体５Ａは、開口１０の直上に位置するハイリフト柵体であり、横柵体５Ｂ及び後柵体５Ｃは、開口１０の直上に位置しないノーマル柵体である。そして、本例のノーマル柵体５Ｂ、５Ｃは、支持脚８（ハイブリッド支持脚８Ａ及びロー支持脚８Ｂ）によってハイリフト柵体５Ａよりも低位置に支持され、ノーマル柵体５Ｂ、５Ｃの下方にトレー２の通過を許容する隙間が形成されないように構成されている。そのため、ハイブリッド支持脚８Ａにおいてノーマル柵体５Ｂ，５Ｃを支持する部分及びロー支持脚８Ｂには、溝９が設けられていない。なお、本例では、ハイリフト柵体とノーマル柵体との上端位置を揃える関係上、ノーマル柵体よりもハイリフト柵体の上下寸法が適宜に短くなるように構成してある。
【００２１】
ハイブリッド支持脚８Ａは、具体的には、図５（Ａ）〜（Ｃ）に示すように、ハイリフト柵体５Ａを支持するためのハイリフト支持部１１と、ノーマル柵体５Ｂを支持するためのローリフト支持部１２とが、平面視において９０度をなすように設けられている。ハイリフト支持部１１及びローリフト支持部１２は、それぞれ底壁１１ａ、１２ａ及びこの底壁１１ａ、１２ａの両端から立ち上がる二つの側壁１１ｂ、１２ｂを有し、各側壁１１ｂ、１２ｂにおける適宜の位置には、柵体５を構成する最下端の線材を保持するための突起１３が設けられている。そして、ハイリフト支持部１１の底壁１１ｂはローリフト支持部１２の底壁１２ｂよりも高い位置にあり、底壁１１ｂ（ハイリフト支持部１１）の下方には溝９となる隙間を介して当たり壁１４が設けられている。この当たり壁１４は、図８（Ａ）に示すように、トレー２のフランジ部４の通過を阻止するためのものである。
【００２２】
ロー支持脚８Ｂは、具体的には、図６（Ａ）〜（Ｃ）に示すように、ノーマル柵体５Ｂ、５Ｃを支持するための二つのローリフト支持部１５が平面視において９０度をなすように設けられている。ローリフト支持部１５は、底壁１５ａ及びこの底壁１５ａの両端から立ち上がる二つの側壁１５ｂを有し、各側壁１５ｂにおける適宜の位置には、柵体５を構成する最下端の線材を保持するための突起１３が設けられている。なお、二つの側壁１５ｂのうち、内側の側壁１５ｂは外側の側壁１５ｂよりも低く形成されている。
【００２３】
図２に示すように、本例では、囲み柵１の上方開口を覆う上蓋１６が設けられる。上蓋１６は、柵体５と同様に複数本の線材を格子状（縦横に交差する形状）に組み合わせたものであり（図４（Ｂ）参照）、開閉可能となっている。
【００２４】
具体的には、上述したように、隣接する柵体５の上端部どうしは上端部連結部材６によって連結されるのであり（図２参照）、上端部連結部材６は、図７（Ａ）に示すように、平面視略Ｌ字状の天壁６ａ及び天壁６ａの両端から垂れ下がる二つの側壁６ｂを有し、各側壁６ｂにおける適宜の位置には、柵体５を構成する最上端の線材を保持するための突起１３が設けられている。そして、図２及び図７（Ｂ）に示すように、後柵体５Ｃの上端の左右を保持する隣り合う二つの上端部連結部材６には対となるヒンジ部１７が上側に形成され、上蓋１６は開閉可能となるようにその一端（後端）の左右がヒンジ部１７によって回動可能に支持されている。なお、本例のヒンジ部１７は、組付性を高めるために（上端部連結部材６の使用可能な向きあるいは位置が一に限定されないように）各上端部連結部材６の上側に平面視において９０度を成す向きに二つ設けられており、組立時にはそれぞれ片方のヒンジ部１７のみが使用される。
【００２５】
而して、本例のペット用サークルでは、図８（Ａ）に示すように、溝９を有するハイブリッド支持脚８Ａにおける溝９の高さを、トレー２におけるフランジ部４の高さよりも大としてあり、これにより、囲み柵１内に収容したトレー２が開口１０から不意に飛び出すことは防止される。また、トレー２を少し持ち上げれば（図８（Ｂ）参照）、開口１０を通してトレー２を囲み柵１から出し入れすることができる。従って、本例のペット用サークルでは、トレー２の飛び出しを防止しつつ、その出し入れを容易に行える。
【００２６】
なお、本考案は、上記の実施の形態に何ら限定されず、本考案の要旨を逸脱しない範囲において種々に変形して実施し得ることは勿論である。例えば、以下のような変形例を挙げることができる。
【００２７】
上記実施の形態では、囲み柵１を構成する柵体５を、上端部連結部材５、中間部連結部材６及び支持脚８によって連結しているが、これに限らず、例えば図９に示すように、囲み柵１の四つのコーナーを構成する柱部材１８を設け、この柱部材１８を介して柵体５どうしを連結するようにしてもよい。この場合、柱部材１８の下部が支持脚８となる。また、ヒンジ部１７に相当する部位は、例えば後柵体５Ｃの左右に連結される柱部材１８の上部に設けることができる。
【００２８】
また、この場合、図９に示すように、四つの柱部材１８の下部（支持脚８となる部分）にわたって連結される床部材１９を設ければ、開口１０から囲み柵１内に入れたトレー２をこの床部材１９の上に載置するようにすることも可能となる。さらにこの場合、例えば各柱部材１８の下端部及び床部材１９の下面にキャスター２０を設けるようにすることも考えられる。
【００２９】
ここで、床部材１９は、例えば柵体５と同様に複数本の線材を格子状（縦横に交差する形状）に組み合わせたものとすることができ、柱部材１８に対する柵体５や床部材１９の連結は、ボルト等の締結具を用いて行うようにすることが考えられる。
【００３０】
上記実施の形態では、上蓋１６を設けているが、これに限らず、上蓋１６を設けないようにしてもよい。
【００３１】
上記実施の形態では、囲み柵１の前面のみに開口１０を設けているため、前方のみからしかトレー２の出し入れを行えないが、これに限らず、開口１０を前面以外の面（左右面や背面）に設けるようにしてもよく、前後左右の何れか２面以上に開口１０を設けるようにしてもよい。そのためには、上述したハイブリッド支持脚８Ａ、ロー支持脚８Ｂ以外に、例えば図１０に示すハイ支持脚８Ｃを用いてもよい。このハイ支持脚８Ｃは、ハイリフト柵体５を支持するための二つのハイリフト支持部１１が平面視において９０度をなすように設けられたものであり、各ハイリフト支持部１１の下方には溝９となる隙間を介して当たり壁１４が形成されている。すなわち、囲み柵１の前後左右の４面のうちのどの面に開口１０を設けるのかに応じて、支持脚８Ａ〜８Ｃ及び柵体５（ハイリフト柵体及びノーマル柵体）を適宜に組み合わせて用いればよい。
【００３２】
例えば前後両面のみに開口１０を設ける場合は、前柵体５Ａと後柵体５Ｃとをハイリフト柵体とし、左右の横柵体５Ｂをノーマル柵体として、これらを四つのハイブリッド支持脚８Ａで支持すればよい。また、前面及び左右両面のみに開口１０を設ける場合は、前柵体５Ａと左右の横柵体５Ｂとをハイリフト柵体とし、後柵体５Ｃのみをノーマル柵体として、前柵体５Ａの左右をハイ支持脚８Ｃで支持し、後柵体５Ｃの左右をハイブリッド支持脚８Ａで支持すればよい。一方、前後左右全ての面に開口１０を設ける場合は、各柵体５をハイリフト柵体とし、これらを四つのハイ支持脚８Ｃで支持すればよい。
【００３３】
なお、上記変形例どうしを適宜組み合わせてもよいことはいうまでもない。
【符号の説明】
【００３４】
１    囲い柵
２    トレー
３    本体部
４    フランジ部
５    柵体
５Ａ  前柵体（ハイリフト柵体）
５Ｂ  横柵体（ノーマル柵体）
５Ｃ  後柵体（ノーマル柵体）
６    上端部連結部材
６ａ  天壁
６ｂ  側壁
７    中間部連結部材
８    支持脚
８Ａ  ハイブリッド支持脚
８Ｂ  ロー支持脚
８Ｃ  ハイ支持脚
９    溝
１０    開口
１１    ハイリフト支持部
１１ａ  底壁
１１ｂ  側壁
１２    ローリフト支持部
１２ａ  底壁
１２ｂ  側壁
１３    突起
１４    当たり壁
１５    ローリフト支持部
１５ａ  底壁
１５ｂ  側壁
１６    上蓋
１７    ヒンジ部
１８    柱部材
１９    床部材
２０    キャスター
２１    ハイリフト支持部
Ｄ    扉
【図１】
0003214713.tif 000003
【図２】
0003214713.tif 000004
【図３】
0003214713.tif 000005
【図４】
0003214713.tif 000006
【図５】
0003214713.tif 000007
【図６】
0003214713.tif 000008
【図７】
0003214713.tif 000009
【図８】
0003214713.tif 000010
【図９】
0003214713.tif 000011
【図１０】
0003214713.tif 000012